(57)【要約】【課題】  利用するグループの構成人数が多くなっても、ユーザに対して提供するサービスなどの質が低下しない写真撮影装置を提供する。【解決手段】  撮影ブース内のユーザを撮影するカメラ２と、撮影した画像に対して編集を施すタブレットディスプレイ３と、ユーザ７のから入力により少なくとも二人以上の人数を取得する人数取得手段と、前記人数取得手段により取得した人数に基づいて、カメラ２による撮影処理もしくはタブレットディスプレイ３による編集処理のうちの少なくとも一方の利用態様を設定する設定手段とを備え、前記設定手段は、前記取得した人数が二人より多い場合に、二人の場合における利用態様の設定よりも付加価値の高い利用態様に設定する。【選択図】図７
2007127826.tif 000002
【特許請求の範囲】
【請求項１】
撮影ブース内のユーザを撮影する撮影手段と、撮影した画像に対して編集を施す編集手段と、前記ユーザのから入力により少なくとも二人以上の人数を取得する人数取得手段と、前記人数取得手段により取得した人数に基づいて、前記撮影手段による撮影処理もしくは前記編集手段による編集処理のうちの少なくとも一方の利用態様を設定する設定手段とを備え、前記設定手段は、前記取得した人数が二人より多い場合に、二人の場合における利用態様の設定よりも付加価値の高い利用態様に設定することを特徴とする写真撮影装置。
【発明の詳細な説明】
【技術分野】
【０００１】
本発明は、写真撮影装置に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置においては、撮影処理を行う撮影ブースと編集処理を行う編集ブースとが互いに異なる位置に設けられ、異なるユーザが撮影ブースでの撮影プレイと編集ブースでの編集プレイとを同時に行えるようにしたいわゆる二重接客、編集ブースが２つであれば三重接客と呼ばれる形態をとっているものがある。
【０００４】
近年の写真撮影装置の利用者層は、比較的に若い世代のユーザが多くを占めており、このようなユーザとしては、２名以上のグループでにぎやかに利用することが多い。
【０００５】
このような中、多重接客方式を採用しつつ、特に２名以上のグループで写真撮影装置を利用するときに、それぞれのユーザが何らかの作業や操作処理を行えるように、例えば一つの編集ブースに複数のタブレットディスプレイを配置した写真撮影装置があり、例えば特許文献１には、配置された複数のタブレットディスプレイを、ユーザの人数に基づいて有効に活用することを目的とした画像印刷装置が開示されている。
【０００６】
具体的には、特許文献１には、画像印刷装置の一方（正面）側に撮影装置を配置してこの撮影装置が面する空間を撮影空間とし、さらに画像印刷装置の他方（背面）側に三つの編集用モニタを水平に並置してこれらの編集用モニタが面する空間を編集空間とした、二重接客方式を採用する画像印刷装置が開示されている。
【０００７】
このような構成において、例えばユーザが一人の場合には、特許文献１における図１１および図１２に記載されているように、編集対象の画像が中央の編集用モニタに表示されるとともに、その左右の編集用モニタには、編集対象画像を編集するための各種の編集ツールのメニューが表示される。これにより、ユーザが一人の場合であっても、三つの編集用モニタを有効に活用することができ、さらにこの場合、編集対象の画像が中央の編集用モニタの大部分に大きく表示されるため、ユーザは編集対象の画像に、より細かな編集画像の入力を容易に行うことができる。
【０００８】
また、ユーザが二人の場合には、特許文献１における図１５および図１６に記載されているように、編集対象の画像が両端のそれぞれの編集用モニタに表示されてそれぞれのユーザに割り当てられるとともに、中央の編集用モニタには、それぞれのユーザが編集ツールを容易に選択できるように、編集ツールのメニューが表示され、ユーザが二人の場合であっても、三つの編集用モニタを有効に活用することができる。
【０００９】
さらに、ユーザが三人の場合には、特許文献１における図１３および図１４に記載されているように、編集対象の画像および編集ツールのメニューがそれぞれの編集用モニタに表示されてそれぞれのユーザに割り当てられる。また、別の例としては、特許文献１における図１７および図１８に記載されているように、中央および左端の編集用モニタに、編集対象の画像および編集ツールのメニューが表示され、右端の編集用モニタには、印刷される画像の分割数（印刷パターン）を選択する画面が表示され、編集処理とこの分割数の選択処理とを同時に行わせている。
【００１０】
以上のように、特許文献１に開示されている技術によれば、グループの人数に基づいて、各ユーザに何らかの処理をさせることができ、手が空いているユーザが生じないようにすることで、グループの人数が多くても許容することができる。
【特許文献１】特開２００３−３４８３１７号公報
【発明の開示】
【発明が解決しようとする課題】
【００１１】
しかし、特許文献１に開示されている画像印刷装置の場合、グループの構成人数が多いほど、ユーザ一人当たりが使用できる編集用モニタが少なくなるなどといったサービス面での制限が加えられてしまう。このため、ユーザにとっては、少ない人数のグループで利用したほうが、得をした感じになる。すなわちより高い満足感を得られる。したがって、ユーザとしては、少ない人数のグループで利用する傾向が強くなってしまい、こうなると、装置の周辺は、多くのユーザが集まるといったにぎやかな状態ではなく、むしろ閑散としてしまうという問題がある。
【００１２】
そこで本発明はこのような問題を解決して、利用するグループの構成人数が多くなっても、ユーザに対して提供するサービスなどの質が低下しない写真撮影装置を提供する。
【課題を解決するための手段】
【００１３】
上記課題を解決するために請求項１記載の発明は、撮影ブース内のユーザを撮影する撮影手段と、撮影した画像に対して編集を施す編集手段と、前記ユーザのから入力により少なくとも二人以上の人数を取得する人数取得手段と、前記人数取得手段により取得した人数に基づいて、前記撮影手段による撮影処理もしくは前記編集手段による編集処理のうちの少なくとも一方の利用態様を設定する設定手段とを備え、前記設定手段は、前記取得した人数が二人より多い場合に、二人の場合における利用態様の設定よりも付加価値の高い利用態様に設定するものである。
【００１４】
ここで利用態様とは、撮影処理における撮影回数、撮影時間、撮影コースの選択、撮影コースの種類、撮影時のストロボの照射パターン、使用できる背景カーテンの種類、あるいは編集処理における編集時間、編集対象にすることができる撮影画像の数、編集処理時に使用する編集ツールの種類、編集入力する画像の柄、色、数、シートレイアウトの種類などといった、利用者に提供する時間、機能の種類、数、選択肢の種類、数などである。また、前記で例示していないものであっても、一般に、ユーザにとってみれば、多く提供されればそれだけ満足度が高まるものが、利用態様となる。また、付加価値の高いとは、時間を長くする、種類、数を増加させるなど、要するに、利用態様における数量的な要素の数を増加させたり、あるいは増加を伴わないにしても二人の場合では使用できない柄、種類などに置換したりすることで、ユーザに対して、少人数の場合よりも提供するサービスなどの質を向上させて高い満足感を与えられるようにすることである。
【００１５】
上記のような構成によると、設定手段が、人数取得手段により取得した人数に基づいて、撮影手段による撮影処理もしくは編集手段による編集処理のうちの少なくとも一方の利用態様を設定し、この設定される内容は、取得した人数が二人より多い場合に、二人の場合における利用態様の設定よりも付加価値の高い利用態様であるので、ユーザは、利用するグループの人数が多いほど、より付加価値の高い利用態様の設定を楽しむことができる。したがって、ユーザは、利用するグループの人数が多いほど、得をした感じ、すなわちより高い満足感を得られるので、より多くの人数で利用しようとする。これにより、装置の周辺はにぎやかな雰囲気になり、集客効果が向上する。さらに、楽しい雰囲気で利用を終え、満足感を得た個々のユーザが、さらに別の友人などを連れて再び多くの人数で利用しようとすることから、装置の宣伝効果は飛躍的に向上する。また、このように、ユーザが多くの人数で利用することは、ユーザどうしのコミュニケーションが良好になるとともに、装置の使用料金を割り勘にすれば、ユーザ一人当たりが支払う金額も少なくなる。このように、装置を設置する店舗側にとっては集客効果が向上するなど有益であると同時に、利用するユーザにとってもコミュニケーション性が向上、支払額が減少するなど有益である。
【発明の効果】
【００１６】
以上のように本発明によれば、利用するグループの構成人数が多くなっても、ユーザに対して提供するサービスなどの質が低下しない写真撮影装置を提供することができる。
【発明を実施するための最良の形態】
【００１７】
本発明の実施の形態の写真撮影装置１を、図１〜図１２を参照しながら説明する。
【００１８】
（外観構成）
まず、写真撮影装置１の外観構成から説明する。図１は、本発明の実施の形態の写真撮影装置１の側面図、図２は、写真撮影装置１における筐体４を編集ブース２２側から見た斜視図である。
【００１９】
図１および図２に示すように、写真撮影装置１は、被写体を撮影する撮影手段であるカメラ２およびカメラ２とは反対側の面に設けられている編集手段である二つのタブレットディスプレイ３を備えるとともに種々の処理および制御を行う機器を備える筐体４と、この筐体４におけるカメラ２と対向する位置に距離を置いて設けられている背景ユニット５と、筐体４と背景ユニット５の上部に左右一対の天井フレーム５Ａが架設されて形成される撮影ブース６内に設けられ、被写体であるユーザ７の撮影ポーズの形成を補助する門型のはしご８および移動可能な可動椅子９とを備える。
【００２０】
筐体４における背景ユニット５に対向する側の面（正面側）には、カメラ２のほか、カメラ２が現在撮影している動画像をユーザ７に対してリアルタイムで表示するライブモニタ３５（図３参照）と、ユーザ７からの操作入力を受け付けるとともにデモ画面や撮影操作の手順等をユーザ７に対して表示するタッチパネルディスプレイ１１（図３参照）と、撮影時にユーザ７を照射するための複数のストロボ１２（図３参照）と、コインを投入するためのコイン投入口と、撮影操作時に音声案内やＢＧＭを出力する撮影側スピーカ１３（図３参照）とが設けられている。
【００２１】
さらに、この筐体４の外部における一方の側面にはプリント取出口１５が設けられ、このプリント取出口１５からは、撮影画像と編集入力した画像とを合成した印刷用画像（編集画像を入力しなかった場合には撮影画像）が筐体４の内部に収納されたプリンタ１６（図３参照）によってシールシート１７（図３参照）などの印刷媒体に印刷されたものが排出される。
【００２２】
一方、筐体４におけるカメラ２が設けられている面とは反対側の面（背面側）には、撮影ブース６において撮影した画像を表示してユーザ７からの編集入力を受け付ける二つのタブレットディスプレイ３と、それぞれのタブレットディスプレイ３に対応して編集画像を入力するための２本のタッチペン１９（計４本）と、編集入力操作時に音声案内やＢＧＭを出力する編集側スピーカ２１（図３参照）とが設けられている。このタブレットディスプレイ３は、筐体４の背面側から外側に向けて突出している突出部１０の上面に取り付けられており、この突出部１０の上面は下方側に傾斜している。また、図中の２２は、撮影ブース６とは異なる箇所に設けられて、ユーザ７が、撮影された画像に対して編集処理を行う編集ブースである。したがって、本実施の形態の写真撮影装置１は、筐体４におけるカメラ２が面する撮影ブース６と、タブレットディスプレイ３が面する編集ブース２２とが異なる位置に設けられた二重接客方式を採用している。なお、上記の撮影ブース６および編集ブース２２の周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００２３】
また、背景ユニット５の上部には、撮影時に上下方向に展開されてユーザ７の背景となる複数種類、ここでは３種類の背景カーテン１８ａ〜１８ｃを備えたカーテンユニット１８が設けられている。背景カーテン１８ａ〜１８ｃは、未使用時にはカーテンユニット１８内に巻き取られた状態で収納されている。背景カーテン１８ａ〜１８ｃは、ユーザ７からのタッチパネルディスプレイ１１への操作を介して指定され、背景ユニット５の壁面に沿って垂下される。
【００２４】
上記の写真撮影装置１は、ユーザ７からのニーズに対応すべくさまざまな機能、例えば音声案内機能、ストロボ照射光の変更機能などを備えている。これらさまざまの機能を実現するための機能構成を、図３を参照しながら説明する。図３は、写真撮影装置１の機能構成を示すブロック図である。
【００２５】
（機能構成）
図３に示すように、写真撮影装置１は、カメラ２による撮影およびカメラ２によって撮影した画像の転送など、撮影側の処理を実行する撮影用コンピュータ装置２３ａと、編集処理時にユーザ７からタブレットディスプレイ３に入力された内容をこのタブレットディスプレイ３に表示するとともに、入力に基づいて編集入力する画像の作成、描画などを行う編集に関する処理や、プリンタ１６の印刷に関する処理を実行する画像編集用コンピュータ装置２３ｂと、動作中のコンピュータ装置２３ａ、２３ｂからの指示を受け付けて、接続されている各種装置を制御する制御基板２４とを備える。この撮影用コンピュータ装置２３ａと画像編集用コンピュータ装置２３ｂとは互いに接続され、画像データなどの授受をピアツーピアで行う。
【００２６】
コンピュータ装置２３ａ、２３ｂは、ＣＰＵ(Ｃｅｎｔｒａｌ  Ｐｒｏｃｅｓｓｉｎｇ  Ｕｎｉｔ)２５ａ、２５ｂと、写真撮影装置１に所定の処理を実行させるためのプログラム、種々の処理に必要なグラフィックデータ、音声データ、撮影画像、編集入力する画像などを記憶するハードディスクドライブ（ＨＤＤ）２６ａ、２６ｂと、プログラムの一時的な作業領域となるメモリ２７ａ、２７ｂとを有する。
【００２７】
撮影用コンピュータ装置２３ａは、撮影ブース６での撮影側の処理を実行する。具体的には、内部のＨＤＤ２６ａに記憶された撮影側の処理のプログラムを実行して、ユーザ７からタッチパネルディスプレイ１１を介して受け付けた入力操作に基づく指示信号に従って制御基板２４に対して制御信号を送信する。また、撮影用コンピュータ装置２３ａは、カメラ２、タッチパネルディスプレイ１１、制御基板２４と電気的に接続され、それらを制御する。さらに、撮影用コンピュータ装置２３ａのＣＰＵ２５ａは、詳細は後述するが、ユーザから利用人数を取得する人数取得手段としての機能を有するとともに、取得した人数に基づいて利用態様を設定する設定手段としての機能を有する。
【００２８】
画像編集用コンピュータ装置２３ｂは、編集ブース２２での編集入力等の処理および筐体４内に収納されているプリンタ１６の印刷処理を実行する。具体的には、画像編集用コンピュータ装置２３ｂは、タブレットディスプレイ３に対してユーザ７が行うタッチペン１９による入力に応じて制御信号を制御基板２４に送信する。この画像編集用コンピュータ装置２３ｂは、プリンタ１６、タブレットディスプレイ３、制御基板２４に電気的に接続され、それらを制御する。
【００２９】
プリンタ１６は、撮影画像と、撮影画像に対して編集処理により入力された画像とを合成した印刷用画像をシールシート１７などの印刷媒体に印刷する。本実施の形態１では、プリンタ１６が印刷用画像をシールシート１７に印刷する場合を説明するが、印刷媒体はシールシートに限定されず、他の印刷媒体でもよい。
【００３０】
筐体４に設けられているタッチパネルディスプレイ１１は、ユーザ７の指等の接触を検知し、その位置に応じた指示信号を撮影用コンピュータ装置２３ａに送信する。このタッチパネルディスプレイ１１は、撮影用コンピュータ装置２３ａから送信された画像、具体的には、カメラ２で撮像された画像、撮影のための案内、選択肢などをユーザ７に対して表示する。
【００３１】
タブレットディスプレイ３は、それぞれに対応する左右のタッチペン１９におけるペン先の接触を検知し、その位置に応じた指示信号を画像編集用コンピュータ装置２３ｂに送信する。このタブレットディスプレイ３は、画像編集用コンピュータ装置２３ｂから送信された画像、具体的には、編集処理時にユーザ７により描画されたペン画像、スタンプ画像、フレーム画像、背景画像などの編集画像を、表示している撮影画像の上に重ねて表示する。
【００３２】
制御基板２４は、コンピュータ装置２３ａ、２３ｂの他に、ストロボ制御部２８、撮影ブース６や編集ブース２２に設けられている蛍光灯２９、サービスパネル３０、印刷中ＬＥＤ３１、印刷エラーＬＥＤ３２、コイン制御部３３、カーテンユニット１８および音声制御部３４に接続され、それぞれを所定の設定に従って制御する。
【００３３】
ストロボ制御部２８は、カメラ２およびストロボ１２に接続され、カメラ２のシャッタタイミングに応じて発光するようにストロボ１２を制御する。
【００３４】
コイン制御部３３は、コイン投入口に投入されたコインの正当性を検出し、制御基板２４にコインが投入されたことを示す検出信号を送信する。このとき、制御基盤２４は、撮影用コンピュータ装置２３ａあるいは画像編集用コンピュータ装置２３ｂから受信した制御信号（指示コマンドなど）にしたがって、コイン制御部３３に対して制御信号を送信する。所定枚数のコインが投入されると、コイン制御部３３は制御信号にしたがって、新たにコインが投入されないようにコイン投入口をブロックするか、コイン投入口に投入されたコインをコイン返却口から排出する。コイン制御部３３は、前者の場合はコインブロッカーとして機能し、後者の場合はコインキャンセラーとして機能する。所定枚数のコインが投入された場合等においては、前述のいずれかの方法でユーザ７からのコインの投入を受け付けないようにする。
【００３５】
サービスパネル３０は、投入されたコインの枚数をカウントするコインカウンタ、印刷されたプリントの枚数をカウントするプリントカウンタ、撮影側スピーカ１３、編集側スピーカ２１から出力する音声のボリュームを調整する音量調整つまみ、後述するテストモードを行うためのテストボタン、コインを投入しなくても装置が利用できるようにするためのサービスボタン等を備えるパネルであり、写真撮影装置１が設置される店舗などの管理人が各種設定やメンテナンスの操作を行う際に用いる。サービスパネル３０は、テストボタンの操作などが行われると、その操作にしたがった制御信号を制御基板２４に対して送信したり、所定の指示信号をコンピュータ装置２３ａ、２３ｂに送信したりする。
【００３６】
また、制御基板２４は、撮影用コンピュータ装置２３ａあるいは画像編集用コンピュータ装置２３ｂから受信した制御信号（指示コマンドなど）にしたがって、サービスパネル３０に対して制御信号を送信する。サービスパネル３０は、この制御信号に従って、コインカウンタやプリントカウンタを動作させる（たとえばカウンタを１インクリメントする）。
【００３７】
音声制御部３４は制御基板２４を介して撮影用コンピュータ装置２３ａおよび画像編集用コンピュータ装置２３ｂに接続されている。撮影用スピーカ１３は、撮影ブース６に配備され、撮影用コンピュータ装置２３ａから制御基板２４および音声制御部３４を介して与えられる指示信号に基づいて、撮影のための操作方法などの案内やＢＧＭなどを出力する。編集用スピーカ２１は、編集ブース２２に配備され、画像編集用コンピュータ装置２３ｂから制御基板２４および音声制御部３４を介して与えられる指示信号に基づいて、編集のための操作方法などの案内やＢＧＭなどを出力する。
【００３８】
以上のような構成において、ユーザ７は、撮影ブース６内において、タッチパネルディスプレイ１１を介して好みの背景カーテン１８ａ〜１８ｃを選択し、選択された背景カーテン１８ａ〜１８ｃを撮影ブース６の壁面に沿って垂下させたうえで、はしご８や可動椅子９を利用するなどして好みの撮影ポーズを形成して写真撮影を行う。
【００３９】
上記のようにして、撮影を行ったユーザ７は、撮影した画像が表示される編集ブース２２に移動し、タッチペン１９を用いて、撮影画像が表示されるタブレットディスプレイ３に編集入力を行う。そして、編集入力が終わると、クロマキー合成が行われて生成された印刷用画像がシールシート１７に印刷されて排出されるプリント取出口１５に移動し、出力されるシールシート１７を取得して写真撮影装置１の利用を終了する。
【００４０】
上記の一連の処理において、まず、撮影ブース６における撮影側の処理を、図４を参照しながら説明する。図４は、撮影側の処理を示すフローチャートである。撮影側の処理は、撮影用コンピュータ装置２３ａにおけるＣＰＵ２５ａがＨＤＤ２６ａに記憶された動作プログラムをメモリ２７ａに読出して実行することで実現される。
【００４１】
この撮影側の処理は、図４に示すように、はじめに、写真撮影装置１に電源が投入されると、撮影用コンピュータ装置２３ａ、画像編集用コンピュータ装置２３ｂのＨＤＤ２６ａ、２６ｂに格納された動作プログラムが起動する。ＣＰＵ２５ａ、２５ｂは、各種機器が正常に接続されているかチェックし、初期化が必要な機器に対しては初期化を行う（Ｓ１１）。
【００４２】
初期化処理時に、コイン制御部３３がコイン投入口をロックするように作動している場合は、ＣＰＵ２５ａはロックを解除する制御信号を送出し、ロックを解除する。そしてコイン投入を可能にする（Ｓ１２）。なお、コイン投入口に投入されたコインをコイン返却口から排出するようにされている場合には、ＣＰＵ２５ａはコインを排出する状態を解除する制御信号を送出し、コイン投入を可能にする。
【００４３】
次にＣＰＵ２５ａは、写真撮影装置１の利用を促すタイトルデモ画面を撮影ブース６におけるタッチパネルディスプレイ１１に表示し（Ｓ１３）、その間にコイン制御部３３において対価であるコインの投入を監視する（Ｓ１４）。
【００４４】
コインが投入されておらず（Ｓ１４でＮＯ）、「テストボタン」が押された場合（Ｓ１５でＹＥＳ）には、ＣＰＵ２５ａはテストモードプログラムを実行（Ｓ１６）し、「テストボタン」が押されていない場合（Ｓ１５でＮＯ）には、処理をＳ１４に戻す。
【００４５】
Ｓ１４において、所定の枚数のコインが、ユーザにより投入されたと判断する（Ｓ１４でＹＥＳ）と、これ以上のコインが過剰に投入されないように、コイン投入口をロック（Ｓ１７）、または、コイン投入口に投入されたコインをコイン返却口から排出するようにして、コインの投入を受け付けないようにする。
【００４６】
Ｓ１７において、コインロックを行うと、次に、図５に示すように、タッチパネルディスプレイ３に、「２人」、「３人」、「多人数」といった、ユーザ７からグループの人数を取得するためのボタンを表示し、ＣＰＵ２５ａが有する人数取得手段としての機能により、ユーザ７からの利用人数の入力を受け付けて利用人数を取得する（Ｓ１８）。
【００４７】
そして、ＣＰＵ２５ａが有する設定手段としての機能により、取得した人数に基づいて、取得した人数が二人より多い場合に、二人の場合における利用態様の設定よりも付加価値の高い利用態様に設定する（Ｓ１９）。
【００４８】
利用態様としては、撮影処理における撮影回数、撮影時間、撮影コースの選択、撮影コースの種類、撮影時のストロボの照射パターン、使用できる背景カーテンの種類、あるいは編集処理における編集時間、編集対象にすることができる撮影画像の数、編集処理時に使用する編集ツールの種類、編集入力する画像の柄、色、数、シールシートのレイアウトの種類などといった、利用者に提供する時間、機能の種類、数、選択肢の種類、数などが挙げられる。また、前記で例示していないものであっても、一般に、ユーザにとってみれば、多く提供されればそれだけ満足度が高まるものである。また、付加価値の高いとは、時間を長くする、種類、数を増加させるなど、要するに、利用態様における数量的な要素の数を増加させたり、あるいは増加を伴わないにしても二人の場合では使用できない柄、種類などに置換したりすることで、ユーザに対して、少人数の場合よりも提供するサービスなどの質を向上させて高い満足感を与えられるようにすることである。
【００４９】
ここでは、例えば撮影処理における撮影回数、撮影時間、撮影コースの種類、編集処理における編集時間、編集対象にすることができる撮影画像の数、編集処理時に使用する編集ツールの種類、編集入力する画像の柄、色、数、シールシートのレイアウトの種類が、利用態様として設定されている場合を説明する。
【００５０】
まず、Ｓ１８において、ユーザから「２人」の入力を受け付けた場合、Ｓ１９において、タッチパネルディスプレイ１１に、図６に示すような撮影コースの選択ボタンを表示する。図中の３６ａで示す撮影コース選択ボタンは、「おまかせ  全フラッシュ６ショット」で、写り、背景、明るさを自動で選択して６回の撮影を行う撮影コースで、３６ｂで示す撮影コース選択ボタンは、「こだわり  全て選べる４ショット」で、写り、背景、明るさをユーザが選択し、４回の撮影を行う撮影コースである。また、この「２人」の入力を受け付けた場合には、撮影時間は例えば１２０〔秒〕に設定されている。
【００５１】
ここで、例えばＳ１８において、ユーザから「３人」の入力を受け付けた場合、Ｓ１９において、タッチパネルディスプレイ１１に、図７に示すような撮影コースの選択ボタンを表示する。この場合、「２人」を選択した場合に比べて、３７ｃに示す「ノリノリ  リズムに合わせて１２ショット」の新たな撮影コースが追加されている。さらに、３７ａで示す「おまかせ」の撮影コースは、「２人」を選択した場合に比べて、撮影回数が６回から９回に増加されており、３７ｂで示す「こだわり」の撮影コースは、「２人」を選択した場合に比べて、撮影回数が４回から６回に増加されている。また、「３人」の選択がされた場合には、例えば撮影時間も１２０〔秒〕から１４０〔秒〕に引き延ばす設定がなされる。
【００５２】
さらに、Ｓ１８において、ユーザから４人以上である「多人数」の入力を受け付けた場合、Ｓ１９において、タッチパネルディスプレイ１１に、図８に示すような撮影コースの選択ボタンを表示する。この場合、「３人」を選択した場合に比べて、３８ｄに示す「チャレンジ  大ハシャギ」の新たな撮影コースがさらに追加されている。この撮影コースは、制限時間内であれば撮影回数は無制限であり、写真撮影装置１に設けられている（図示は省略）、有線あるいは無線のリモコンによりシャッタボタンを押すことができるようにしている。また、３８ａで示す「おまかせ」の撮影コースは、「３人」を選択した場合に比べて、撮影回数が９回から１２回に増加されており、３８ｂで示す「こだわり」の撮影コースは、「３人」を選択した場合に比べて、撮影回数が６回から１０回に増加されている。さらに、３８ｃで示す「ノリノリ」の撮影コースは、「３人」を選択した場合に比べて、撮影回数が１２回から１６回に増加されている。また、「多人数」の選択がされた場合には、例えば撮影時間も１４０〔秒〕から１６０〔秒〕に引き延ばす設定がなされる。
【００５３】
以上のように、ＣＰＵ２５ａが有する人数取得手段としての機能によりユーザ７の人数を取得し、同じくＣＰＵ２５ａが有する設定手段としての機能により、取得した人数に基づいて、取得した人数が二人より多い場合に、二人の場合における利用態様の設定よりも付加価値の高い利用態様に設定することで、ユーザは、利用するグループの人数が多いほど、より付加価値の高い利用態様の設定を楽しむことができる。したがって、ユーザは、利用するグループの人数が多いほど、得をした感じ、すなわちより高い満足感を得られるので、より多くの人数で利用しようとする。
【００５４】
また、図６〜図８のように、利用人数が増えるに連れて撮影コースの種類と撮影回数が増えたことを、ユーザに対して画面表示により伝えることで、ユーザは、人数が増えたことにより利用態様の付加価値が高まったことを容易に把握することができ、ユーザに対して、より多くの人数で利用するほうが得をするということを認識させることができる。
【００５５】
説明を図４に戻して、上記のようにして、ユーザからの撮影コースの選択を受け付けると、ＣＰＵ２５ａは撮影を開始し（Ｓ２０）、設定された利用態様に基づいた所定回数の撮影が行われるまで撮影を続け（Ｓ２１）、所定回数の撮影を終えると（Ｓ２１でＹＥＳ）、撮影した画像を画像編集用コンピュータ装置２３ｂに転送し（Ｓ２２）、処理をＳ１２に戻してコインロックを解除し、Ｓ１３でタイトルデモ画面を表示して、新たなユーザの利用を待つ。このとき、撮影を終えたユーザ７は撮影側の処理、すなわち撮影プレイが終了したことになるので、撮影ブース６を出て、次の編集側の処理、すなわち編集プレイを行うべく、所定の編集ブース２２に移動し、編集プレイを開始する。
【００５６】
次に、編集ブース２２にて行う編集側の処理について、図９〜図１２を参照しながら説明する。
【００５７】
図９に示すように、撮影プレイが終了したユーザが編集ブース２２に来るまでは、待機画面を表示しておき（Ｓ３０）、ユーザが撮影プレイを終えて撮影側から撮影画像が転送されると（Ｓ３１）、この撮影画像を取得し、次に編集画像の入力処理を行う（Ｓ３２）。
【００５８】
Ｓ３２における編集画像の入力処理については公知の手法に基づくので、詳細な説明は省略するが、上述したように、本実施の形態の写真撮影装置１では、利用態様として、例えば撮影処理における撮影回数、撮影時間、撮影コースの種類、編集処理における編集時間、編集対象にすることができる撮影画像の数、編集処理時に使用する編集ツールの種類、編集入力する画像、すなわちペン、スタンプ、フレーム、背景の柄、色、数、シールシートのレイアウトの種類が、利用態様として設定されており、この編集画像の入力処理においては、取得した人数に基づいて編集時間、編集対象にすることができる撮影画像の数、編集処理時に使用する編集ツールの種類、編集入力する画像の柄、色、数が、付加価値の高い利用態様に設定される。
【００５９】
すなわち、編集時間について言えば、図５に示した画面において「２人」が選択された場合には、例えば３００〔秒〕を設定しておき、「３人」が選択された場合には、３００〔秒〕を３２０〔秒に〕引き延ばし、さらに「多人数」が選択された場合には、３２０〔秒〕を３４０秒に引き延ばすようにして、付加価値の高い利用態様に設定する。
【００６０】
また、編集対象にすることができる撮影画像の数について言えば、「２人」が選択された場合に、全撮影枚数のうちの４枚だけを、編集対象にすることができる撮影画像の数として設定しておき、「３人」が選択された場合には、４枚を６枚に増加し、さらに「多人数」が選択された場合には、６枚を８枚に増加するようにして、付加価値の高い利用態様に設定する。
【００６１】
また、編集処理時に使用する編集ツールの種類について言えば、「２人」が選択された場合には、５種類の編集ツールを選択できるように設定しておき、「３人」が選択された場合には、５種類を６種類に増加し、さらに「多人数」が選択された場合には、６種類を７種類に増加するようにして、付加価値の高い利用態様に設定する。
【００６２】
さらに、編集入力する画像、すなわちペン画像、スタンプ画像、フレーム画像、背景画像の柄、色、数についても上記の編集ツールの種類と同様に取得した人数が多くなるに連れて、柄、色、数を増加させて、付加価値の高い利用態様にする。
【００６３】
上記のようにして、撮影プレイだけでなく編集プレイにおいても、利用人数が多いほど、ユーザは、より付加価値の高い利用態様の設定を楽しむことができる。したがって、ユーザは、利用するグループの人数が多いほど、得をした感じ、すなわちより高い満足感を得られるので、より多くの人数で利用しようとする。
【００６４】
説明を図９に戻して、Ｓ３２において編集入力処理が終了すると、撮影プレイにおいて撮影された画像と、編集プレイにおいて入力された画像との合成画像を表示し（Ｓ３３）、印刷画像の確定を確定する（Ｓ３４）。
【００６５】
Ｓ３４において、印刷画像を確定すると、次に、印刷レイアウト、すなわちシールシートの分割数の選択を行う（Ｓ３５）。
【００６６】
このとき、利用態様として、シールシートのレイアウトの種類も設定されているので、例えば、図５に示した画面において「２人」が選択された場合には、図１０に示すように、２人用のレイアウトとして、２の倍数の分割数を選択させる画面表示をする。また、「３人」が選択された場合には、図１０に示した２人用のレイアウトタグを残した状態で、図１１に示すように、さらに３人用のレイアウトとして、３の倍数の分割数を選択させる画面表示を追加し、付加価値の高い利用態様に設定する。さらに、「多人数」が選択された場合には、図１１に示した２人用、３人用のレイアウトタグを残した状態で、図１２に示すように、さらに多人数用のレイアウトとして、４の倍数、５の倍数、６の倍数の分割数を選択させる画面表示を追加し、さらに付加価値の高い利用態様に設定する。このようにすることで、利用人数が多いほど、ユーザに対し、より付加価値の高い利用態様を提供することができる。
【００６７】
そして、Ｓ３５において印刷レイアウトを確定すると、このレイアウトに基づいて、合成画像をシールシートに印刷し（Ｓ３６）、ユーザは、写真撮影装置１の利用を終了する。
【００６８】
なお、上記においては説明していないが、取得人数に基づいて、使用できる背景カーテンの種類や数を増加させてもよいし、利用人数が多くなるに連れて撮影時のフラッシュの光量を増加させる設定などを行ってもよい。
【００６９】
また、上記においては、付加価値を高める方法として、利用態様の数量的な要素の数を増加させる場合を説明したが、これに限らず、増加を伴わないにしても二人の場合では使用できない柄、種類などに置換することで、ユーザに対して、二人で利用する場合よりも提供するサービスなどの質を向上させて高い満足感を与えられるようしてもよい。具体的には、例えば編集入力する画像の柄、数、種類について言えば、付加価値を高める際に、これらの数を増加させずに、「２人」を選択したときにしか使用できない柄、「３人」を選択したときにしか使用できない柄、「多人数」と選択したときにしか使用できない柄、を設定することで、ユーザに対して、レア感を生じさせ、二人で利用する場合よりも提供するサービスなどの質を向上させるようにする。
【００７０】
さらに、上記においては、利用態様として、複数の項目が設定されている場合を説明したが、例えば撮影回数が増加するだけなど、一つの項目だけを設定しておいてもよい。すなわち、これらの利用態様の項目は、適宜の数だけ設定してもよい。
【００７１】
以上のように本発明によれば、ＣＰＵ２５ａが有する人数取得手段としての機能によりユーザ７の人数を取得し、同じくＣＰＵ２５ａが有する設定手段としての機能により、取得した人数に基づいて、取得した人数が二人より多い場合に、二人の場合における利用態様の設定よりも付加価値の高い利用態様に設定することで、ユーザは、利用するグループの人数が多いほど、より付加価値の高い利用態様の設定を受けることができる。したがって、ユーザは、利用するグループの人数が多いほど、得をした感じ、すなわちより高い満足感を得られるので、より多くの人数で利用しようとする。
【００７２】
これにより、装置の周辺はにぎやかな雰囲気になり、集客効果が向上する。さらに、楽しい雰囲気で利用を終え、満足感を得た個々のユーザが、さらに別の友人などを連れて再び多くの人数で利用しようとすることから、装置の宣伝効果は飛躍的に向上する。また、このように、ユーザが多くの人数で利用することは、ユーザどうしのコミュニケーションも良好になるとともに、装置の使用料金を割り勘にすれば、ユーザ一人当たりが支払う金額も少なくなる。このように、装置を設置する店舗側にとっては集客効果が向上するなど有益であると同時に、利用するユーザにとってもコミュニケーション性が向上、支払額が減少するなど有益である。以上のことから、利用するグループの構成人数が多くなっても、ユーザに対して提供するサービスなどの質が低下しない写真撮影装置を提供することができる。
【図面の簡単な説明】
【００７３】
【図１】本発明の実施の形態の写真撮影装置の側面図である。
【図２】写真撮影装置における筐体を編集ブース側から見た斜視図である。
【図３】写真撮影装置の機能構成を示すブロック図である。
【図４】実施の形態における写真撮影装置の撮影側での処理を説明するフローチャートである。
【図５】ユーザに利用人数を入力させるための画面例である。
【図６】利用人数が２人である場合の撮影コースの選択画面例である。
【図７】利用人数が３人である場合の撮影コースの選択画面例である。
【図８】利用人数が多人数である場合の撮影コースの選択画面例である。
【図９】写真撮影装置の編集側での処理を説明するフローチャートである。
【図１０】利用人数が２人である場合のシートレイアウトの選択画面例である。
【図１１】利用人数が３人である場合のシートレイアウトの選択画面例である。
【図１２】利用人数が多人数である場合のシートレイアウトの選択画面例である。
【符号の説明】
【００７４】
２    カメラ
３    タブレットディスプレイ
７    ユーザ
【図１】
2007127826.tif 000003
【図２】
2007127826.tif 000004
【図３】
2007127826.tif 000005
【図４】
2007127826.tif 000006
【図５】
2007127826.tif 000007
【図６】
2007127826.tif 000008
【図７】
2007127826.tif 000009
【図８】
2007127826.tif 000010
【図９】
2007127826.tif 000011
【図１０】
2007127826.tif 000012
【図１１】
2007127826.tif 000013
【図１２】
2007127826.tif 000014